(57)【特許請求の範囲】
【請求項１】
無線ネットワーク（６００）における測位設定を定義する方法（８００）であって、前記ネットワーク（６００）の一部又は全てのセルはユーザ機器（ＵＥ）（６２０）の位置を判定するために使用可能である測位基準信号（ＰＲＳ）を測位機会中に無線送信でき、各測位機会は、Ｎ＞ＮPRSかつＮ及びＮPRSの双方を２以上の整数として、ＮPRS個の測位サブフレームがＮサブフレーム毎に繰り返すように、Ｎサブフレームの所定の周期を有する所定の数ＮPRS個の連続するサブフレームから構成されており、
前記方法（８００）は、
第１のネットワークノード（６１０、６３０）により、前記無線ネットワーク（６００）の１つ以上のセルのミュートパターンを判定するステップ（８１０）と、
第２のネットワークノード（６１０、６３０）から前記ＵＥ（６２０）に支援情報を提供するステップ（８２０）と、
を有し、
前記セルのミュートパターンは、前記セルがＰＲＳを送信する複数の測位機会及び前記セルが前記ＰＲＳの送信をミュートする複数の測位機会を示し、
ミュートされる測位機会の数は０より大きく、
前記支援情報は、前記第１のネットワークノード（６１０、６３０）により判定された少なくとも１つのセルのミュートパターンを含む、
ことを特徴とする方法（８００）。
【請求項２】
少なくとも１つのセルに対して、前記第１のネットワークノード及び前記第２のネットワークノードは同一のノード（６１０、６３０）であることを特徴とする請求項１に記載の方法（８００）。
【請求項３】
少なくとも１つのセルに対して、前記第１のネットワークノード及び前記第２のネットワークノードは異なるノード（６１０、６３０）であり、
前記第１のネットワークノード（６１０、６３０）により前記第２のネットワークノード（６１０、６３０）に前記セルのミュートパターンを通信するステップ（８３０）を更に有する
ことを特徴とする請求項１に記載の方法（８００）。
【請求項４】
前記第１のネットワークノードは基地局（６１０）であることを特徴とする請求項３に記載の方法（８００）。
【請求項５】
前記第２のネットワークノードは測位ノード（６３０）であることを特徴とする請求項３に記載の方法（８００）。
【請求項６】
前記セルのミュートパターンを判定するステップ（８１０）において、前記セルの１つ以上の測位パラメータが判定され、
前記測位パラメータは、スキップインジケータ、送信測位機会インジケータ、送信サブフレームインジケータ及び測位機会周期インジケータのうちのいずれか１つ以上を含み、
前記スキップインジケータが判定される場合、該スキップインジケータは、前記セルの送信測位機会が定期的に繰り返すように各送信測位機会に後続する連続してミュートされる測位機会の数を示し、
前記送信測位機会インジケータが判定される場合、該送信測位機会インジケータは、どの測位機会が前記セルの送信測位機会であるかを示し、
前記送信サブフレームインジケータが判定される場合、該送信サブフレームインジケータは、ＰＲＳを送信するために前記セルにより使用される前記送信測位機会内のサブフレームを示し、
前記測位機会周期インジケータが判定される場合、該測位機会周期インジケータは、前記所定の周期Ｎを示す
ことを特徴とする請求項１に記載の方法（８００）。
【請求項７】
前記セルの前記測位パラメータは、少なくとも前記スキップインジケータとしてステップ係数ｋ及び前記送信測位機会インジケータとしてシフトΔPRSを含み、
ｋは非負の整数であり、
ΔPRSは０と２ｋ−１との間の整数であり、
前記セルの前記送信測位機会は、ｒを非負の整数とする場合、ｒ２ｋ＋ΔPRSで定義される
ことを特徴とする請求項６に記載の方法（８００）。
【請求項８】
前記シフトΔPRSは、前記セルの物理セルＩＤ（ＰＣＩ）、前記ネットワークのＰＲＳ信号に対するＰＲＳ周波数再利用係数及び前記ステップ係数ｋに基づいて判定されることを特徴とする請求項７に記載の方法（８００）。
【請求項９】
前記セルの前記シフトΔPRSは、対応するアンテナの位置を一意に識別するアンテナ指標に更に基づいて判定されることを特徴とする請求項８に記載の方法（８００）。
【請求項１０】
前記セルは、基地局（６１０）との間で信号を中継するように構成された中継装置（６４０）に関連し、
前記基地局（６１０）からの前記測位基準信号が前記中継装置（６４０）により中継される前記セルの前記シフトΔPRSは、前記中継装置（６４０）の前記送信測位機会が前記基地局（６１０）に関連する少なくとも１つのセルの前記送信測位機会と重複しないように設定される
ことを特徴とする請求項７に記載の方法（８００）。
【請求項１１】
前記セルの前記測位パラメータは、前記送信サブフレームインジケータとして送信サブフレーム指標Δを更に含み、
Δは０とＮPRSとの間の整数であり、
前記セルがＰＲＳ信号を送信する前記サブフレームはＮ（ｒ２ｋ＋ΔPRS）＋Δで定義される
ことを特徴とする請求項７に記載の方法（８００）。
【請求項１２】
前記セルの前記測位パラメータは、前記測位機会周期インジケータとして周期係数ｎを更に含み、
ｎは非負の整数であり、
Ｎ及びｎは、ａをフレーム内のサブフレームの数とする場合、Ｎ＝ａ２ｎに従って関連する
ことを特徴とする請求項１１に記載の方法（８００）。
【請求項１３】
前記ＵＥ（６２０）に提供される前記支援情報は、前記ミュートパターンが判定されかつＰＲＳ送信が前記ＵＥ（６２０）により測定される１つ以上のセルの支援情報を含み、
各セルの前記支援情報は、前記スキップインジケータ、前記送信測位機会インジケータ、前記送信サブフレームインジケータ及び前記測位機会周期インジケータのうちのいずれか１つ以上を含む
ことを特徴とする請求項６に記載の方法（８００）。
【請求項１４】
ＰＲＳ送信が前記ＵＥ（６２０）により測定される前記セルは、サービングセル及び該サービングセルに隣接する１つ以上のセルのうちの少なくともいずれかを含むことを特徴とする請求項１３に記載の方法（８００）。
【請求項１５】
前記ネットワークは非同期ネットワークであり、
前記支援情報は、前記セルの前記送信サブフレームインジケータ及び前記測位機会周期インジケータを含む
ことを特徴とする請求項１３に記載の方法（８００）。
【請求項１６】
前記ネットワークは同期ネットワークであり、
前記送信測位機会は前記ＵＥ（６２０）により測定される全てのセルに対して一致し、
前記支援情報は、
基準セルの前記送信サブフレームインジケータ及び前記測位機会周期インジケータと、
全てのセルの前記スキップインジケータ及び前記送信測位機会インジケータとを含む
ことを特徴とする請求項１３に記載の方法（８００）。
【請求項１７】
前記基準セルはサービングセルであることを特徴とする請求項１６に記載の方法（８００）。
【請求項１８】
前記ミュートパターンを判定するステップ（８１０）は、
ｓをＰＲＳパターンＩＤとする場合、同一のＰＲＳパターンΩ（ｓ）を有するセルを各々が含む複数のセルのセットに複数のセルをグループ化するステップ（９１０）と、
各セルのセットΩに対して実行されるステップであって、
前記セルのセットを複数のセルグループに細分化するステップ（９２０）と、
異なるグループ内のセルの送信測位機会が時間的に重複しないように前記セルグループの各々に送信測位機会を割り当てるステップ（９３０）と、
を実行するステップと、
を含むことを特徴とする請求項１に記載の方法（８００）。
【請求項１９】
前記セルのセットを前記複数のセルグループに細分化するステップ（９２０）は、
前記セット内の複数のセル対ｉ及びｊに対して、干渉コストパラメータｃij（ｃij∈Ω（ｓ））のセットを判定するステップ（１０１０）と、
各グラフエッジが前記セット内の２つのセルの間の分離を示し、前記干渉コストパラメータに基づく干渉コストを表すエッジの重みの総和が最大になるグラフエッジのセットを判定するステップ（１０２０）と、
エッジの重みの最大総和に寄与するエッジのセルを異なるセルグループに分離するように前記セルをグループに分割するステップ（１０３０）と、
を含み、
セルｉとセルｊとの間の前記干渉コストパラメータｃijは、前記セルのＰＲＳ送信パワレベル、前記２つのセルの間のリンクの信号対干渉比及び前記２つのセルの間のリンクの信号対干渉雑音比のうちの少なくともいずれかの組合せに基づいて判定される
ことを特徴とする請求項１８に記載の方法（８００）。
【請求項２０】
前記コストパラメータｃijはセルｉ又はセルｊに対応する基地局により判定され、
前記基地局が他の基地局と前記コストパラメータ情報を交換するステップを更に有する
ことを特徴とする請求項１９に記載の方法（８００）。
【請求項２１】
少なくとも１つのセルに対して、前記ミュートパターンを判定するステップは、他の基地局と交換された前記コストパラメータ情報に基づいて、前記セルに対応する基地局により前記セルの前記ミュートパターンを判定するステップを含み、
前記方法（８００）は、
前記基地局（６１０）により、測位ノード（６３０）に前記セルの前記ミュートパターンを通信するステップと、
前記測位ノード（６３０）により、前記サービングセルに前記セルの前記ミュートパターンを通信するステップと、
を更に有することを特徴とする請求項２０に記載の方法（８００）。
【請求項２２】
無線ネットワーク（６００）における測位設定を定義する方法（８００）であって、前記ネットワーク（６００）の一部又は全てのセルはユーザ機器（ＵＥ）（６２０）の位置を判定するために使用可能である測位基準信号（ＰＲＳ）を測位機会中に無線送信でき、各測位機会は、ｂを２以上の整数とするＮPRS＝ｂ・ＮPSとなるように、ＮPRS個の連続するサブフレームのうちのＮPS個の連続する測位サブフレームから構成されており、
前記方法（８００）は、
第１のネットワークノード（６１０、６３０）により、前記無線ネットワーク（６００）の１つ以上のセルのミュートパターンを判定するステップ（８１０）と、
第２のネットワークノード（６１０、６３０）から前記ＵＥ（６２０）に支援情報を提供するステップ（８２０）と、
を有し、
前記セルのミュートパターンは、前記セルがＰＲＳを送信する複数の測位機会及び前記セルが前記ＰＲＳの送信をミュートする複数の測位機会を示し、
ミュートされる測位機会の数は０より大きく、
前記支援情報は、前記第１のネットワークノード（６１０、６３０）により判定された少なくとも１つのセルのミュートパターンを含む、
ことを特徴とする方法（８００）。
【請求項２３】
少なくとも１つのセルに対して、１つのセルの前記所定の周期は少なくとも１つの他のセルの前記所定の周期より大きく、
前記１つのセルに対応するノードは測位機会の度にＰＲＳを送信する
ことを特徴とする請求項１に記載の方法（８００）。
【請求項２４】
前記１つのセルに対応する前記ノードはビーコン装置であることを特徴とする請求項２３に記載の方法（８００）。
【請求項２５】
無線ネットワーク（６００）における測位設定を定義するためのネットワークノード（６１０、６３０）であって、前記ネットワークの一部又は全てのセルはユーザ機器（ＵＥ）（６２０）の位置を判定するために使用可能である測位基準信号（ＰＲＳ）を測位機会中に無線送信でき、各測位機会は、Ｎ＞ＮPRSかつＮ及びＮPRSの双方を２以上の整数として、ＮPRS個の測位サブフレームがＮサブフレーム毎に繰り返すように、Ｎサブフレームの所定の周期を有する所定の数ＮPRS個の連続するサブフレームから構成されており、
前記ネットワークノード（６１０、６３０）は、
前記無線ネットワーク（６００）の１つ以上のセルのミュートパターンを判定するミュートパターン判定ユニット（７１０）と、
別のネットワークノード（６１０、６３０）に少なくとも１つのセルの前記ミュートパターンを通信する通信ユニット（７２０）と
を備え、
前記セルのミュートパターンは、前記セルがＰＲＳを送信する複数の測位機会及び前記セルが前記ＰＲＳの送信をミュートする複数の測位機会を示し、
ミュートされる測位機会の数は０より大きい
ことを特徴とするネットワークノード（６１０、６３０）。
【請求項２６】
前記ネットワークノードは基地局（６１０）であり、
前記ミュートパターン判定ユニット（７１０）は、前記基地局（６１０）に対応する少なくとも１つのセルの前記ミュートパターンを判定し、
前記通信ユニット（７２０）は、前記別のネットワークノード（６１０、６３０）に前記セルの前記ミュートパターンを送信する
ことを特徴とする請求項２５に記載のネットワークノード（６１０、６３０）。
【請求項２７】
前記ミュートパターン判定ユニット（７１０）は、前記セルの１つ以上の測位パラメータを判定し、
前記測位パラメータは、スキップインジケータ、送信測位機会インジケータ、送信サブフレームインジケータ及び測位機会周期インジケータのうちのいずれか１つ以上を含み、
前記スキップインジケータが判定される場合、該スキップインジケータは、前記セルの送信測位機会が定期的に繰り返すように各送信測位機会に後続する連続してミュートされる測位機会の数を示し、
前記送信測位機会インジケータが判定される場合、該送信測位機会インジケータは、どの測位機会が前記セルの送信測位機会であるかを示し、
前記送信サブフレームインジケータが判定される場合、該送信サブフレームインジケータは、ＰＲＳを送信するために前記セルにより使用される前記送信測位機会内のサブフレームを示し、
前記測位機会周期インジケータが判定される場合、該測位機会周期インジケータは、前記所定の周期Ｎを示す
ことを特徴とする請求項２５に記載のネットワークノード（６１０、６３０）。
【請求項２８】
前記セルの前記測位パラメータは、少なくとも前記スキップインジケータとしてステップ係数ｋ及び前記送信測位機会インジケータとしてシフトΔPRSを含み、
ｋは非負の整数であり、
ΔPRSは０と２ｋ−１との間の整数であり、
前記セルの前記送信測位機会は、ｒを非負の整数とする場合、ｒ２ｋ＋ΔPRSで定義される
ことを特徴とする請求項２７に記載のネットワークノード（６１０、６３０）。
【請求項２９】
前記ミュートパターン判定ユニット（７１０）は、前記セルの物理セルＩＤ（ＰＣＩ）、前記ネットワークのＰＲＳ信号に対するＰＲＳ周波数再利用係数及び前記ステップ係数ｋに基づいて前記シフトΔPRSを判定することを特徴とする請求項２８に記載のネットワークノード（６１０、６３０）。
【請求項３０】
前記ミュートパターン判定ユニット（７１０）は、対応するアンテナの位置を一意に識別するアンテナ指標に更に基づいて前記セルの前記シフトΔPRSを判定することを特徴とする請求項２９に記載のネットワークノード（６１０、６３０）。
【請求項３１】
前記セルは、基地局（６１０）との間で信号を中継するように構成された中継装置（６４０）に関連し、
前記基地局（６１０）からの前記測位基準信号が前記中継装置（６４０）により中継される前記セルの前記シフトΔPRSは、前記中継装置（６４０）の前記送信測位機会が前記基地局（６１０）に関連する少なくとも１つのセルの前記送信測位機会と重複しないように設定される
ことを特徴とする請求項２８に記載のネットワークノード（６１０、６３０）。
【請求項３２】
前記セルの前記測位パラメータは、前記送信サブフレームインジケータとして送信サブフレーム指標Δを更に含み、
Δは０とＮPRSとの間の整数であり、
前記セルがＰＲＳ信号を送信する前記サブフレームはＮ（ｒ２ｋ＋ΔPRS）＋Δで定義される
ことを特徴とする請求項２８に記載のネットワークノード（６１０、６３０）。
【請求項３３】
前記セルの前記測位パラメータは、前記測位機会周期インジケータとして周期係数ｎを更に含み、
ｎは非負の整数であり、
Ｎ及びｎは、ａをフレーム内のサブフレームの数とする場合、Ｎ＝ａ２ｎに従って関連する
ことを特徴とする請求項３２に記載のネットワークノード（６１０、６３０）。
【請求項３４】
前記通信ユニット（７２０）は前記ＵＥ（６２０）に支援情報を提供し、
前記支援情報は、前記ミュートパターンが判定されかつＰＲＳ送信が前記ＵＥ（６２０）により測定される１つ以上のセルの前記ミュートパターンを含み、
各セルの前記支援情報は、前記スキップインジケータ、前記送信測位機会インジケータ、前記送信サブフレームインジケータ及び前記測位機会周期インジケータのうちのいずれか１つ以上を含むことを特徴とする請求項２７に記載のネットワークノード（６１０、６３０）。
【請求項３５】
前記通信ユニット（７２０）は、少なくとも１つの他のネットワークノード（６１０、６３０）から前記無線ネットワーク（６００）の１つ以上のセルのミュートパターンを受信することを特徴とする請求項３４に記載のネットワークノード（６１０、６３０）。
【請求項３６】
前記ネットワークノードは測位ノード（６３０）であることを特徴とする請求項３５に記載のネットワークノード（６１０、６３０）。
【請求項３７】
ＰＲＳ送信が前記ＵＥ（６２０）により測定される前記セルは、サービングセル及び該サービングセルに隣接する１つ以上のセルのうちの少なくともいずれかを含むことを特徴とする請求項３４に記載のネットワークノード（６１０、６３０）。
【請求項３８】
前記ネットワークは非同期ネットワークであり、
前記支援情報は、前記セルの前記送信サブフレームインジケータ及び前記測位機会周期インジケータを含む
ことを特徴とする請求項３４に記載のネットワークノード（６１０、６３０）。
【請求項３９】
前記ネットワーク（６００）は同期ネットワークであり、
前記送信測位機会は前記ＵＥ（６２０）により測定される全てのセルに対して一致し、
前記支援情報は、
基準セルの前記送信サブフレームインジケータ及び前記測位機会周期インジケータと、
全てのセルの前記スキップインジケータ及び前記送信測位機会インジケータとを含む
ことを特徴とする請求項３４に記載のネットワークノード（６１０、６３０）。
【請求項４０】
前記基準セルはサービングセルであることを特徴とする請求項３９に記載のネットワークノード（６１０、６３０）。
【請求項４１】
無線ネットワーク（６００）における測位設定を定義するためのネットワークノード（６１０、６３０）であって、前記ネットワークの一部又は全てのセルはユーザ機器（ＵＥ）（６２０）の位置を判定するために使用可能である測位基準信号（ＰＲＳ）を測位機会中に無線送信でき、各測位機会は、ｂを２以上の整数とする場合、ＮPRS＝ｂ・ＮPSとなるように、ＮPRS個の連続するサブフレームのうちのＮPS個の連続する測位サブフレームから構成されており、
前記ネットワークノード（６１０、６３０）は、
前記無線ネットワーク（６００）の１つ以上のセルのミュートパターンを判定するミュートパターン判定ユニット（７１０）と、
別のネットワークノード（６１０、６３０）に少なくとも１つのセルの前記ミュートパターンを通信する通信ユニット（７２０）と
を備え、
前記セルのミュートパターンは、前記セルがＰＲＳを送信する複数の測位機会及び前記セルが前記ＰＲＳの送信をミュートする複数の測位機会を示し、
ミュートされる測位機会の数は０より大きい
ことを特徴とするネットワークノード（６１０、６３０）。
【請求項４２】
少なくとも１つのセルに対して、１つのセルの前記所定の周期は少なくとも１つの他のセルの前記所定の周期より大きく、
前記１つのセルに対応するノードは測位機会の度にＰＲＳを送信する
ことを特徴とする請求項２５に記載のネットワークノード（６１０、６３０）。
【請求項４３】
前記１つのセルに対応する前記ノードはビーコン装置であることを特徴とする請求項２５に記載のネットワークノード（６１０、６３０）。
【請求項４４】
無線ネットワーク（６００）のセルから無線送信された測位基準信号（ＰＲＳ）に基づいてユーザ機器（ＵＥ）（６２０）の位置を判定する方法（１２００）であって、前記ネットワークの一部又は全てのセルは前記ＰＲＳを測位機会中に無線送信でき、各測位機会は、Ｎ＞ＮPRSかつＮ及びＮPRSの双方を２以上の整数として、ＮPRS個の測位サブフレームがＮサブフレーム毎に繰り返すように、Ｎサブフレームの所定の周期を有する所定の数ＮPRS個の連続するサブフレームから構成されており、
前記方法（１２００）は、
複数のセルに対応する複数のネットワークノードから送信された前記ＰＲＳを前記ＵＥ（６２０）により受信するステップ（１２１０）と、
前記ネットワークにより前記ＵＥ（６２０）に提供された前記複数のセルのミュートパターンに基づいて、前記複数のネットワークノードからの前記ＰＲＳ送信の観測到着時間差（ＯＴＤＯＡ）を前記ＵＥ（６２０）により判定するステップ（１２２０）と、
を有し、
前記セルのミュートパターンは、前記セルがＰＲＳを送信する複数の測位機会及び前記セルが前記ＰＲＳの送信をミュートする複数の測位機会を示し、
前記セルのミュート測位機会の数は０より大きい
ことを特徴とする方法（１２００）。
【請求項４５】
前記ＵＥ（６２０）により前記ＯＴＤＯＡ情報に基づいて前記ＵＥの位置を判定するステップ（１２３０）を更に有することを特徴とする請求項４４に記載の方法（１２００）。
【請求項４６】
前記ＵＥ（６２０）から前記ネットワークに前記ＯＴＤＯＡ情報を提供するステップ（１２３０）を更に有することを特徴とする請求項４４に記載の方法（１２００）。
【請求項４７】
無線ネットワーク（６００）のセルから無線送信された測位基準信号（ＰＲＳ）に基づいて自身の位置が判定されるように測定値を作成するユーザ機器（ＵＥ）（６２０）であって、前記ネットワークの一部又は全てのセルは測位機会中に前記ＰＲＳを無線送信でき、各測位機会は、Ｎ＞ＮPRSかつＮ及びＮPRSの双方を２以上の整数として、ＮPRS個の測位サブフレームがＮサブフレーム毎に繰り返すように、Ｎサブフレームの所定の周期を有する所定の数ＮPRS個の連続するサブフレームから構成されており、
前記ＵＥ（６２０）は、
複数のセルに対応する複数のネットワークノードから送信された前記ＰＲＳを受信する通信ユニット（１１２０）と、
前記ネットワークにより前記ＵＥ（６２０）に提供された前記複数のセルのミュートパターンに基づいて、前記複数のネットワークノードからの前記ＰＲＳ送信の観測到着時間差（ＯＴＤＯＡ）を判定するＯＴＤＯＡ判定ユニット（１１１０）と、
を備え、
前記セルのミュートパターンは、前記セルがＰＲＳを送信する複数の測位機会及び前記セルが前記ＰＲＳの送信をミュートする複数の測位機会を示し、
前記セルのミュート測位機会の数は０より大きい
ことを特徴とするＵＥ（６２０）。
【請求項４８】
前記ＯＴＤＯＡ情報に基づいて前記ＵＥ（６２０）の位置を判定する位置判定ユニット（１１４０）を更に備えることを特徴とする請求項４７に記載のＵＥ（６２０）。
【請求項４９】
前記通信ユニット（１１２０）は前記ネットワークに前記ＯＴＤＯＡ情報を提供することを特徴とする請求項４７に記載のＵＥ（６２０）。
【発明の詳細な説明】
【技術分野】
【０００１】
本発明は、無線通信ネットワークにおける干渉管理に関わる方法、装置及びシステムに関し、特に、測位、位置及び位置情報サービスのために複数のセルからの信号測定値を利用する無線ネットワークアーキテクチャに関する。
【背景技術】
【０００２】
無線ネットワークにおいてユーザの地理的位置を特定できることにより、多様な商業的及び非商業的サービスが可能になった。これらのサービスは、ナビゲーション支援、ソーシャルネットワーキング、位置認識広告、緊急呼出し等を含む。サービスが異なれば、アプリケーションによって求められる測位精度要件も異なる。また、例えば米国のＦＣＣ  Ｅ９１１サービスである基本的な緊急サービスのための測位精度に関する規制要件が存在する場合がある。
【０００３】
多くの環境において、位置はＧＰＳ（全地球測位システム）に基づく測位法を使用することで正確に推定可能である。今日、いくつかのネットワークは、Ａ−ＧＰＳ（アシスト型ＧＰＳ測位：Assisted-GPS positioning）のように、端末の受信機の感度及びＧＰＳの起動性能を向上するためにＵＥ（ユーザ機器）等の無線端末を更に支援することができる。しかし、ＧＰＳ又はＡ−ＧＰＳ受信機は、必ずしも全ての無線端末において利用可能なわけではない。更に、全ての無線ネットワークがＧＰＳに基づく測位を提供又は支援する可能性を必ずしも有するわけではない。更に、ＧＰＳに基づく測位は、都市部及び／又は屋内の環境において性能が十分であるとはいえない場合が多い。
【０００４】
従来、例えばＧＳＭ（登録商標）、ＵＭＴＳ及びＣＤＭＡ２０００において、到着時間差測定（ＴＤＯＡ）に基づく測位法が広く使用されてきた。図１ａ及び図１ｂは、ダウンリンク観測到着時間差（ＯＴＤＯＡ）測位法の原理の概要を示す。図１ａにおける各双曲線は、２つの基地局に対して同一レベルの基準信号時間差（ＲＳＴＤ）を有する領域を示す。ＵＥは、複数の基地局のタイミング差を測定する。ＵＥの２つの座標及び受信機のクロックバイアスを求めるには、幾何学的配置が良好である地理的に分散された基地局からの少なくとも３つの測定値が必要とされる。従って、ＵＥの位置を求めるには、基地局の位置及びタイミングの正確な知識が必要とされる。ＯＴＤＯＡを使用する場合、到着時間（ＴＯＡ）を測定する場合と異なり、基地局とＵＥとの間の同期は必要条件ではない。
【０００５】
ＬＴＥにおいて、測位を可能としかつ十分な数の別個の位置に対する適切な品質の位置測定を容易にするために、新規の測位専用物理信号、すなわち測位基準信号（ＰＲＳ：positioning reference signals）が導入され、特定の測位サブフレームが３ＧＰＰにおいて合意されている。
【０００６】
ＰＲＳは、事前定義済みのパターンに従って１つのアンテナポート（Ｒ６）から送信される。図２は、１つ又は２つの物理ブロードキャストチャネル（ＰＢＣＨ）アンテナが使用中である場合のＰＲＳパターンを示す。図中、Ｒ６と印を付けられた四角形は、通常のサイクリック・プレフィックス（Cyclic Prefix）を有する１ｍｓのサブフレームである１４個のＯＦＤＭ記号にわたる１２個のサブキャリアのブロック内のＰＲＳリソース要素（ＲＥ）を示す。事前定義済みのＰＲＳパターンに周波数偏移のセットを適用して隣接セルにおいて使用できる直交パターンのセットを取得し、ＰＲＳにおける干渉を低減することにより位置測定を向上することができる。セットこれにより、６回の有効周波数再利用をモデル化できる。垂直偏移シフトνshiftとして見ることもできる周波数偏移は、以下に示すようにセルの物理セルＩＤ（ＰＣＩ）の関数として定義可能である〔３ＧＰＰ  ＴＳ  ３６．２１１〕。
【０００７】
νshift＝ｍｏｄ（ＰＣＩ，６）
また、ＰＲＳは、ミュートの一形態であるゼロパワで送信されてもよい。なお、ＰＲＳのパワは、ミュートの場合を含めて、測位機会全体にわたり一定であると仮定可能である〔３ＧＰＰ  ＴＳ  ３６．２１３〕。従って、パワが０の場合、パワは同一の測位機会の全てのサブフレームにおいて０である。
【０００８】
ＰＲＳの「可聴性（hearability）」を向上するために、すなわち、より多くの位置からの適正な品質のＰＲＳの検出を可能にするために、測位サブフレームは低干渉サブフレームとして設計されている。換言すると、一般に、測位サブフレームにおいてデータ送信は許可されない。その結果、同期ネットワークにおいて、セルのＰＲＳは同一のＰＲＳパターン指標、すなわち同一のシフトνshiftを有する他のセルからのＰＲＳによってのみ干渉され、データ送信により干渉されない。
【０００９】
非同期ネットワークにおいて、セルの測位サブフレームが別のセルの通常のサブフレームと衝突する場合、ＰＲＳはデータ送信により依然として干渉されることがある。部分アライメント、すなわち、何らかの時間基準に対してサブフレームの１／２以内に複数のセルにおける測位サブフレームの始端を位置合わせすることにより、影響を最小限にできる。
【００１０】
ＵＥがセルのＰＲＳを検出できない場合、ＵＥは共通基準信号（ＣＲＳ：Common Reference Signals）を検出してＣＲＳ信号に基づくＲＳＴＤ測定を実行しようとする。ＰＲＳ信号に基づく測定とＣＲＳ信号に基づく測定とを組み合わせることは基本的には可能である。しかし、ＰＲＳを検出できない場合に同一セルの他の信号をサーチすることにより、セル検出時間が増加し、位置測定が劣化する場合もある。ＣＲＳ信号は一般に、ＣＲＳ信号の有効周波数再利用が少ないため、ＰＲＳより可聴性が劣る。通常通り２つの送信アンテナがＣＲＳ信号に対して使用される場合、ＣＲＳ信号は通常は３回の有効周波数再利用を有する。
【００１１】
ＰＲＳは、長さＮPRSの複数の連続するサブフレームによりグループ化される所定の測位サブフレームにおいて送信される。これらの所定の連続するＮPRSの複数の連続するサブフレームを測位機会（positioning occasion）と呼ぶ〔３ＧＰＰ  ＴＳ  ３６．１３３〕。測位機会は、２つの測位機会の間の時間間隔であるＮサブフレームの特定の周期で周期的に発生する。これを図３に示す。図中、２つの測位機会それぞれの最初のサブフレームはＮサブフレーム離間する。ＬＴＥにおいて、現在合意されているＮの期間は、１６０ｍｓ、３２０ｍｓ、６４０ｍｓ及び１２８０ｍｓであり、ＮPRSは１、２、４及び６のいずれか１つであってもよい。なお、ＮPRSはセル毎に異なってもよい。
【００１２】
ＯＴＤＯＡ測位の場合、複数の別個の位置からのＰＲＳを測定する必要がある。そのため、ＵＥ受信機は、サービングセルから受信されるＰＲＳよりはるかに弱いＰＲＳを処理する必要がある場合がある。また、被測定信号の予想到着時間及び正確なＰＲＳパターンに関するおおよその知識がない場合、ＵＥは大きいウィンドウ内で信号サーチを実行する必要があり、これは測定の時間及び精度に影響を及ぼし、ＵＥの演算量を増大させる。
【００１３】
上述のように、ＰＲＳはゼロパワで送信されてもよい。これは、ＰＲＳ送信帯域全体にわたる同一サブフレーム内の全てのＰＲＳリソース要素に当てはまる必要がある。現在、ＰＲＳがミュートされる方法は３ＧＰＰにおいて規定されていない。また、セルからのＰＲＳ送信が特定のサブフレームにおいてミュートされるか否かをＵＥに通知するために利用できる信号伝送が存在しない。しかし、いくつかの解決策が言及又は議論されてきた。
【００１４】
提案されてきた１つの解決策は、セルによるランダムミュート（random muting by cells）である。この場合、例えばＬＴＥにおけるｅＮｏｄｅＢである各基地局は、ＰＲＳ送信機会が把握されるか否かを決定し、何らかの確率を用いてミュートを決定する。この実現例において、ｅＮｏｄｅＢ間の調整は行われず、確率はｅＮｏｄｅＢ毎又はセル毎に静的に設定される。この解決策の利点は、決定が各セルによりローカルに行われ、ｅＮｏｄｅＢ間の信号伝送が不要であることである。
【００１５】
ランダムミュートの解決策には欠点がある。実際のネットワークは、異なるセル有効範囲領域及びユーザ密度を有しかつ場合によっては異なる種類の基地局を有するため異なる種類のネットワークである。これらは全て、最適なミュート確率を設定することが冗長なタスクであることを示す。また、ＵＥは、測定する対象のセルがミュートされるか否かに関する情報を有さないため、ＲＳＴＤ測定が更に複雑になり、ＵＥの複雑さを増大させる。また、そのような確率の最適な設定は、例えば１日及び１週間にわたりセル毎に変動する場合がある。これらの要因のため、静的な設定は非現実的である。
【００１６】
提案された別の解決策は、ミュートパターンの限られたセットを設計し、ＰＣＩにミュートパターンＩＤをマッピングすることである。Ｒ１−０９３７９３、「Ｍｕｔｉｎｇ  ｆｏｒ  ＬＴＥ  Ｒｅｌ−９  ＯＴＤＯＡ  Ｐｏｓｉｔｉｏｎｉｎｇ」、３ＧＰＰ  ＴＳＧ−ＲＡＮ  ＷＧ１  ｍｅｅｔｉｎｇ  ＃５８ｂｉｓ、２００９年１０月；Ｒ１−０９２６２８、「Ｏｎ  ｓｅｒｖｉｎｇ  ｃｅｌｌ  ｍｕｔｉｎｇ  ｆｏｒ  ＯＴＤＯＡ  ｍｅａｓｕｒｅｍｅｎｔｓ」、３ＧＰＰ  ＴＳＧ−ＲＡＮ  ＷＧ１  ｍｅｅｔｉｎｇ  ＃５７、２００９年６月、Ｒ１−０９３４０６、「Ｐｏｓｉｔｉｏｎｉｎｇ  Ｓｕｂｆｒａｍｅ  Ｍｕｔｉｎｇ  ｆｏｒ  ＯＴＤＯＡ  Ｍｅａｓｕｒｅｍｅｎｔｓ」、３ＧＰＰ  ＴＳＧ−ＲＡＮ１  ＃５８、２００９年８月。限られたミュートパターンの解決策の利点は、ミュートパターンのテーブル及び支援情報において受信されたＰＣＩを与えることにより、ＵＥにミュート情報を明示的に信号伝送することなく、ＰＲＳが関心セルから送信されるタイミングをＵＥが判定できることである。
【００１７】
しかし、この解決策もいくつかの欠点を有する。その１つは、ミュートパターンをＵＥにおいてハードコード化するか又はネットワークから受信する必要があることである。前者は本解決策が全てのＵＥに対して適切ではないことを示し、後者は新たな信号伝送を必要する。別の欠点は、ＰＣＩにミュートパターンをマッピングすることが、多層構造を更に有する場合のある異なる種類の実際のネットワークにおける最適なミュート設定につながらない可能性が高いことである。すなわち、ミュート設定が固定されるため、ＰＣＩ計画が特に測位のためにネットワーク全体に対して再設計されない限り、ミュート設定を再度最適化することができず、これはオペレータの観点から最も望ましくない行為の１つである可能性が高い。
【００１８】
既存の解決策は、少なくとも以下の問題を有する。
１．いくつかの例において、ＰＲＳの可聴性が低い。
２．ＰＲＳ送信パターンとＰＣＩとの間のマッピングが固定的に定義される。
３．ＰＲＳに対する干渉調整の規定された方法が存在しない。
４．合意された支援情報に従う測位設定は融通性を有さない。
５．３ＧＰＰにおいて現在までに指定されている測位に関する解決策は、分散アンテナシステム及びＬＴＥ−Ａ（ＬＴＥ  Ａｄｖａｎｃｅｄ）の配置例を考慮していない。
【００１９】
既存の解決策の認識されている各問題を以下で更に詳細に説明する。
【００２０】
問題１：３ＧＰＰにおいて合意されているＰＲＳパターンは、６回の周波数再利用をモデル化するために設計されている。すなわち、干渉は、均一に計画されたネットワークにおいて平均で６セル毎に発生する。しかし、これは、階層的及び／又は密なネットワーク配置において、あるいはセルの形状が不規則でありかつセルの大きさが不均一である通常の実際のネットワークにおいてすら、不十分である場合がある。
【００２１】
問題２：上述のように、ＰＲＳパターンはＰＣＩの固定的に定義された関数であると合意されている。そのため、同一の送信セルのセットに対して、干渉が同様に設定され、固定ＵＥに対する干渉の平均レベルは変化しない。これは、同一のＵＥが同一の悪い干渉状態を常に経験する場合があることを意味する。更に、セルＩＤ計画は、測位以外の多くの点を考慮するため、６未満の再利用係数に対して行われる可能性が非常に高い。典型的な例であると予想される２つのアンテナから送信される場合にＣＲＳ送信パターンが３回の有効再利用を有するのに対し、ＰＲＳパターンは６回の有効再利用を可能にするように設計される。
【００２２】
問題３：自律的ミュートの可能性が、３ＧＰＰ  ＲＡＮ１において合意されている。しかし、これはそれ以上議論されておらず、解決策は合意されていない。そのため、ＰＲＳ送信が特定のセルにおいて特定のサブフレームでミュートされることをＵＥに通知するために利用できる信号伝送が存在しない。このことは、測位性能に悪影響を及ぼす可能性が高い。
【００２３】
問題４：合意済みの測位設定は、ＰＲＳの周期及び所定のセルに対する測位サブフレームのオフセットを定義する。既存の解決策において、測定された全てのセルはサービングセルとして同一の測位設定指標ＩPRSを有すると仮定される。ＰＲＳのミュートを行わない場合、問題２のため、同期ネットワークにおいてＰＲＳ送信が同一セル内で常に衝突する結果となる。
【００２４】
問題５：分散アンテナシステムを配置することは、ビットレートの高速化及びパケット遅延の低減を可能にするデータ通信を向上させるための魅力的な解決策である。しかし、測位の観点からは、同一のＰＣＩに関連付けられたアンテナを使用して別個の位置からＰＲＳを同時に送信することに利益はない。その結果、ＵＥは、信号が異なる位置から送信されたのか、あるいは同一の位置から送信されてマルチパスを介して到着しただけなのかを区別できない。更に、その場合、ＵＥの位置は送信機の位置がＰＣＩに関連付けられた位置であると仮定して計算されるため、測位精度が大幅に低下する。
【００２５】
同様の問題は、復号化及び再送信を行えるがＵＥにより単独のセルとして見られないタイプ
IIの中継器の場合に生じる。原則的に、ＵＥはそのような装置からもＰＲＳを受信できるが、信号が基地局ではなく装置により送信されることを識別する機能を必要とするため、ＵＥの複雑さが更に増大する。
【００２６】
密なネットワークにおいて、ＰＲＳは、例えばＣＲＳ信号より遠くの基地局から聞くことができると仮定される。更に、５０４個の一意のＰＣＩのみを使用する場合、同一のＰＣＩを有する２つ以上のセルからのＰＲＳがある領域において受信可能である場合がある。これはＣＲＳの場合より頻繁に生じることがあり、いくつかの例においては問題であると予想される。例えば、十分な容量を保証するために基地局が密に配置されたネットワークにおいて、ＰＲＳの可聴性が優れているため、ＰＲＳが検出されると予想される広範囲においてＣＲＳは単に検出不可能である。そのため、問題はＣＲＳよりＰＲＳの場合に重大である。従って、同一のＰＣＩを有する２つのセルを聞く確率はＰＲＳの場合より高い。
【００２７】
いくつかの無線ネットワークにおいて、ビーコン装置又はＰＲＳを送信する何らかの種類の単純な装置が配置されてもよい。それにより、ＰＲＳに対する干渉は増加する場合があるが、そのような装置は例えばＰＲＳのみである信号の限られたセットを送信してもよいため、全体として干渉をそれ程発生させない。しかし、ビーコン装置からの干渉は、信号送信機会の適切な調整及び設定により低減されてもよい。装置が基地局のＰＣＩを再利用している場合、ＵＥは装置と基地局とを少なくとも区別できる必要のある場合がある。更に、一般にそのような装置はデータを送信しないため、低干渉サブフレームの概念はそれらの種類の装置にあまり関係ない。
【発明の概要】
【００２８】
本発明の限定しない１つの態様は、無線ネットワークの一部又は全てのセルが測位機会中に測位基準信号（ＰＲＳ）を無線送信できるネットワークにおける測位設定を定義する方法に関する。ＰＲＳは、観測到着時間差（ＯＴＤＯＡ）法によりユーザ機器の位置を判定するために使用可能である。セルにおいて、各測位機会は、Ｎ＞ＮPRSかつＮ及びＮPRSの双方を１以上の整数として、測位機会がＮサブフレーム毎に繰り返すように、Ｎサブフレームの所定の周期を有する所定の数ＮPRS個の連続するサブフレームから構成される。方法において、無線ネットワークの１つ以上のセルのミュートパターンは第１のネットワークノードにより判定される。セルのミュートパターンは、セルがＰＲＳを送信する複数の測位機会及びセルがＰＲＳの送信をミュートする複数の測位機会を示し、ミュートされる測位機会の数は０より大きい。方法において、支援情報は、サービングセルによりサービスを提供されているユーザ機器に第２のネットワークノードから提供される。支援情報は、第１のネットワークノードにより判定された少なくとも１つのセルのミュートパターンを含む。
【００２９】
本発明の限定しない１つの態様は、無線ネットワークの一部又は全てのセルが測位機会中に測位基準信号（ＰＲＳ）を無線送信できるネットワークにおける測位設定を定義するためのネットワークノードに関する。ネットワークノードは、無線ネットワークの１つ以上のセルのミュートパターンを判定するように構成されたミュートパターン判定ユニットを含む。ネットワークノードは、別のネットワークノード及び／又はＵＥに少なくとも１つのセルのミュートパターンを通信するように構成された通信ユニットを更に含む。
【００３０】
本発明の限定しない１つの態様は、無線ネットワークのセルから無線送信された測位基準信号（ＰＲＳ）に基づいてユーザ機器の位置を判定する方法に関する。ユーザ機器は、複数のセルのミュートパターンに基づいて、複数のネットワークノードからのＰＲＳ送信の観測到着時間差（ＯＴＤＯＡ）を判定する。複数のセルのミュートパターンは、ネットワークによりユーザ機器に提供される。
【００３１】
本発明の限定しない１つの態様は、無線ネットワークのセルから無線送信された測位基準信号（ＰＲＳ）に基づいて、自身の位置が判定されるように測定値を作成するように構成されたユーザ機器に関する。ユーザ機器は、複数のセルに対応する複数のネットワークノードから送信されたＰＲＳを受信するように構成された通信ユニットを含む。ユーザ機器は、ネットワークによりＵＥに提供された複数のセルのミュートパターンに基づいて、複数のネットワークノードからのＰＲＳ送信のＯＴＤＯＡを判定するように構成されたＯＴＤＯＡ判定ユニットを更に含む。
【００３２】
本発明の上記の目的、特徴及び利点、並びに他の目的、特徴及び利点は、添付の図面に示される好適な実施形態の以下の更に詳細な説明から明らかになるだろう。図中、図中符号は同一の部分を示す。図面は必ずしも縮尺通りではない。
【図面の簡単な説明】
【００３３】
【図１Ａ】、
【図１Ｂ】ダウンリンクＯＴＤＯＡ測位法の原理の概要を示す図。
【図２】１つ又は２つのアンテナがＰＢＣＨに対して使用されかつ通常のサイクリック・プレフィックスが仮定される場合の標準化されたＰＲＳパターンを示す図。
【図３】Ｎサブフレームの周期を有するＰＲＳ送信測位機会を定義するＮPRS個の連続するサブフレームのグループ化を示す図。
【図４Ａ】、
【図４Ｂ】、
【図４Ｃ】、
【図４Ｄ】ミュートパターンの例を示す図。
【図５】セルのグループ化に対する最大カット問題／解の一例を示す図。
【図６】無線ネットワーク構成の一例を示す図。
【図７】ネットワークノードの構成の一例を示す図。
【図８】無線ネットワークの測位設定を定義する方法の一例を示す図。
【図９】ミュートパターンを判定するためのセルグループを最適化する処理の一例を示すフローチャート。
【図１０】セルのグループ化における最大カット問題を解く処理の一例を示すフローチャート。
【図１１】ユーザ機器の構成の一例を示す図。
【図１２】自身の位置を判定する際にユーザ機器により実行される方法の一例を示す図。
【発明を実施するための形態】
【００３４】
限定するためではなく説明する目的で、特定のアーキテクチャ、インタフェース及び技術等の特定の詳細を記載する。しかし、本明細書中で説明される技術がそれらの特定の詳細から逸脱する他の実施形態において実現されてもよいことは当業者には明らかだろう。すなわち、本明細書中で明示的に説明又は示されないが、説明される技術の原理を実現する種々の構成を当業者は考案できるだろう。
【００３５】
いくつかの例において、不必要に詳細な記載により説明を不明瞭にしないために、周知の装置、回路及び方法についてはその詳細な説明を省略する。原理、態様、実施形態及び例を示す本明細書中の全ての記述は、構造的な均等物及び機能的な均等物の双方を含むことを意図する。更に、そのような均等物が現在公知である均等物及び将来開発される均等物、すなわち、構造に関係なく同一の機能を実行する開発される何らかの要素の双方を含むことを意図する。
【００３６】
従って、例えば本明細書中のブロック図は、技術の原理を実現する例示的な回路網の概念図を表すものであることが理解されるだろう。同様に、全てのフローチャート、状態遷移図及び疑似コード等は、コンピュータ可読媒体において実質的に表されかつコンピュータ又はプロセッサが明示的に示されるか否かに関わらずそのようなコンピュータ又はプロセッサにより実行されうる種々の処理を表すことが理解されるだろう。
【００３７】
「プロセッサ」又は「制御装置」として示されるか又は説明される機能ブロックを含む種々の要素の機能は、専用ハードウェア及び関連するソフトウェアを実行できるハードウェアの利用を介して提供されうる。プロセッサにより提供される場合、機能は単一の専用プロセッサ、単一の共有プロセッサ、あるいは一部が共有又は分散されてもよい複数の個別のプロセッサにより提供されてもよい。更に、「プロセッサ」又は「制御装置」という用語の明確な使用は、ソフトウェアを実行できるハードウェアのみを示すものとして解釈されるべきではなく、それらは、デジタル信号プロセッサ（「ＤＳＰ」と省略される）ハードウェア、ソフトウェア記憶用の読み出し専用メモリ（「ＲＯＭ」と省略される）、ランダムアクセスメモリ（ＲＡＭと省略される）及び不揮発性記憶装置を含んでもよいが、それらに限定されない。
【００３８】
本明細書において、用語「セル」又は「基地局」は状況に応じて交換可能に使用される。なお、「セル」は「基地局」と等価ではない。セルは無線有効範囲領域を示し、基地局は対応するセルに無線有効範囲を提供する無線通信機器を示す。
【００３９】
無線通信機器の例は、３ＧＰＰにおけるｅＮｏｄｅＢ、ＷｉＦｉ（「ＷＬＡＮ」とも呼ばれる）におけるアクセスポイント及びＷｉＭＡＸにおける基地局を含む。単一の機器は、通常は、各セルに対する１つのアンテナ又は調整されたアンテナのセット等の複数のアンテナを個別に操作することにより、複数のセルをサポートするか又はそれらにサービスを提供できる。セルは重なり合ってもよい。しかし、各セルは個別に識別可能であると仮定され、例えば各セルはグローバルセルＩＤを有してもよい。
【００４０】
また、本明細書において、説明のための例として３ＧＰＰが主に使用される。しかし、本開示の範囲は３ＧＰＰ無線ネットワークシステムのセットに限定されない。本開示の範囲は、無線ネットワークシステムの多くのドメインを含むことができる。
【００４１】
本明細書の背景技術の欄において、全てのＵＥがＧＰＳ又はＡ−ＧＰＳ受信機を備えるわけではなくかつ全ての無線ネットワークがＧＰＳに基づく測位を提供又は支援するわけではないため、ＧＰＳに基づく測位に代わるものが望まれると述べた。ＵＥがＧＰＳ又はＡ−ＧＰＳ受信機を備えかつ無線ネットワークがそのような支援を提供できる場合であっても、屋内及び／又は都市部の環境における性能は不十分である場合がある。いくつかの解決策が提案されているが、既存の解決策は多くの欠点を有する。
【００４２】
既存の解決策に関連する一部又は全ての問題及び困難を解決するために、限定しない１つの態様において、ＰＲＳ送信は異なるセルにおいて異なる時間間隔で可能とされ、間隔は同一セル内の低干渉の測位サブフレームに使用される間隔と異なるように設定され、少なくとも大きくなるように設定されるのが好ましい。
【００４３】
限定しない１つの態様において、ＰＲＳ送信間隔は、基地局との間の通信を含む分散された方法で、ＬＴＥにおけるｅＮｏｄｅＢ等の基地局においてローカルに決定可能である。すなわち、セルのミュートパターンは、セルに対応する基地局により判定可能である。基地局は、測位ノードを含む他のネットワークノード及び／又は他のセルに対応する他の基地局にセルのミュートパターンを通信できる。
【００４４】
限定しない別の態様において、セルのミュートパターンは、セルに対応しないネットワークノードにより判定されてもよい。すなわち、セルのミュートパターンはセルに対応する基地局により判定される必要はない。ネットワークノードは他の基地局又は測位ノードであってもよい。ネットワークノードは、他のネットワークノードにセルのミュートパターンを通信できる。測位ノードの一例は、ＬＴＥにおけるＥ−ＳＭＬＣ又はＳＬＰである。
【００４５】
当然、いくつかの基地局がそれらの対応するセルのミュートパターンをローカルに決定する一方で他のセルではセルに対応しないネットワークノードがミュートパターンを判定する組み合わせも可能である。
【００４６】
また、必要な情報がＵＥに通信されるような支援情報の形式の改良が提案される。ミュートパターンがＥ−ＳＭＬＣ又はＳＬＰ等の測位ノードにより決定される場合、情報は、３ＧＰＰにおける制御プレーン内のＬＴＥ測位プロトコル（ＬＰＰ）を介して例えばＵＥである測位対象装置に通信されてもよい。ミュートパターンが基地局により判定される場合、情報はＵＥに直接通信されてもよく、あるいは、この場合も例えばＬＰＰプロトコルを使用して測位ノードに通信されてもよい。何らかの他のプロトコル及び／又は自社開発のインタフェースが、例えば制御プレーン又はユーザプレーンのいずれかにおいてネットワークノードとＵＥとの間で情報を通信するために、提案された信号伝送及び支援形式を更に利用してもよいことも考えられる。
【００４７】
以下の本発明の限定しない態様は、共に実現されてもよく、あるいは個別に実現されてもよい。
【００４８】
・ＰＲＳ送信及びミュートパターンの設計
・パターンの信号伝送及びマッピング
・セルによるＰＲＳ送信及びミュートパターンを割り当てるためのセルグループの設計
【００４９】
＜ＰＲＳ送信及びミュートパターン＞
１つ以上の既存の解決策において、ミュートパターンはサブフレームレベルで適用されてきた。セルがＭ個のサブフレームのうちの１つにおいてＰＲＳを送信する既存の解決策において、ミュートパターンの長さがＭの場合、全てのｅＮｏｄｅＢのうち１／ＭのｅＮｏｄｅＢはサービングセルと同一のミュートパターンを割り当てられる。それらのセルからの信号がはるかに弱いため、ＵＥはそれらのセルにより送信されたＰＲＳを測定できない。既存の解決策において、Ｍは最大で６とすることができる。
【００５０】
しかし、本発明の発明者は、セルが測位機会の度にＰＲＳを送信する必要がないことを認識した。測位機会になった場合、セルはＰＲＳを送信することができ、あるいは送信を許可される場合でも送信をミュートすることができる。従って、２つのセルがサブフレームレベルで同一のミュートパターンを割り当てられる（かつそれらの双方が同一のＰＲＳパターンＩＤを有する）場合であっても、それらが交互の測位機会において送信する場合、信号は干渉しない。換言すると、測位機会レベルのミュートパターンを考慮することにより、別のレベルのＰＲＳ直交性が導入される。この解決策は、１６０ｍｓ、３２０ｍｓ、６４０ｍｓ又は１２８０ｍｓ等の測位機会の所定の周期Ｎに関係なく適用可能である。
【００５１】
なお、ＰＲＳのパワレベルを０にすることはミュートの１つの形態であるが、ミュートは必ずしもこれを意味しない。パワレベルは、必ずしも０ではなく、他の信号との干渉を発生させる可能性の低い点まで低下されたものであればよい。
【００５２】
限定しない１つの態様において、セルのミュートパターンは、その測位パラメータに少なくとも部分的に基づいて判定される。測位パラメータは、スキップインジケータ、送信測位機会インジケータ、送信サブフレームインジケータ及び測位機会周期インジケータを含む。スキップインジケータは、セルの送信測位機会が定期的に繰り返すように各送信測位機会に後続する連続してミュートされる測位機会の数を示す。送信測位機会インジケータは、セルの送信測位機会である測位機会を示す。送信サブフレームインジケータは、ＰＲＳを送信するためにセルにより使用される送信測位機会内のサブフレームを示す。測位機会周期インジケータは所定の周期Ｎを示す。
【００５３】
なお、関連する情報が既知であるため、インジケータのいくつかは判定される必要のない場合がある。例えば、ネットワークの所定の周期Ｎは周知であるか又は仮定されてもよい。この場合、測位機会周期インジケータを判定する必要はない。
【００５４】
なお、インジケータのいくつかが判定される場合あっても、それらは支援情報の一部としてＵＥに提供される必要のない場合がある。例えば、無線ネットワークはＵＥのホームネットワークであってもよい。この場合、ＵＥはいくつかの情報に関する知識を既に有していると予想できる。例えばＵＥは、ホームネットワークの所定の周期Ｎに関する情報を既に有する場合があり、これは測位機会周期インジケータがＵＥに送信される必要がないことを意味する。しかし、ネットワークのセルが訪問中のＵＥにサービスを提供している場合、セルは測位機会周期インジケータを提供してもよい。
【００５５】
限定しない一実施形態において、セルのミュートパターンは２つのパラメータ、すなわち、スキップインジケータであるステップ係数ｋ及び送信測位機会インジケータであるシフトΔPRSPRSにより制御される。ステップ係数ｋは関係ｚ＝２ｋを特定する。ここで、ｚは各送信測位機会に後続する連続してミュートされる測位機会の数を表す。これは、セルのＰＲＳ送信が２ｋ番目の測位機会の度に行われることを意味する。図４Ａ〜図４Ｄを参照してこれを説明する。図中、各行はセルのＰＲＳ送信パターンを表す。セルの測位機会は網掛けされた矩形として表される。斜線で網掛けされた矩形はセルによりＰＲＳ送信に使用される測位機会を表し、十字で網掛けされた矩形はセルによりＰＲＳ送信に使用されない測位機会を表す。
【００５６】
ｋ＝０の場合、図４Ａに示すように、セルは測位機会の度に送信する（２０＝１）。２つのセルが図示のように測位の度に送信する場合、衝突が生じる場合がある。ｋ＝１の場合、セルは１つおきの送信機会にＰＲＳを送信できる（２１＝２）。図４Ｂに示すように、２つのセルは衝突せずにＰＲＳ信号を送信できる。ステップ係数ｋが増加するにつれて、より多くのセルが衝突せずにＰＲＳ信号を送信できる。例えばｋ＝２の場合、図４Ｃに示すように、４つのセルが衝突せずに送信できる（２２＝４）。
【００５７】
なお、測位機会の周期はセルに対して同一である必要はない。少なくとも１つのセルの測位機会の周期が他のセルと異なってもよいことが十分考えられる。例えば図４Ｃにおいて、上の４つのパターンに対応する４つのセルのＰＲＳ送信の測位機会周期は同一である。例えば、機会はＮサブフレーム毎に繰り返し、これらのセルに対してｋ＝２である。しかし、図中の下の行は、ミュート期間を有さない（ｋ＝０）が異なるより長い測位周期を有するビーコン装置を表してもよい。長い周期を使用することは、そのようなノード（本例では、ビーコン装置）が短い周期を有する他のセルの送信と干渉しないことを保証できる場合に有用だろう。適切なスケジューリング挙動を保証するか、あるいは、ビーコン装置の場合と同様にノードが殆どの時間に無音の限られた信号のセットのみ（例えば、ＰＲＳのみ）を送信することを利用することにより、これを保証できる。
【００５８】
ステップ係数ｋは、いかなる非負の整数であってもよい。しかし実際は、ｋが４以上である可能性は低い。なお、測定時間全体がｋに従って指標関数的に増加するため、大きいｋの値は、測定時間全体が過度に長くなることを意味する場合がある。従って、大きいｋの値は、位置測定にとって重要なセルには望ましくない。しかし、セルがある特定の時間における測位にとってあまり重要ではない場合（例えば、日中に十分に多くのピコセルが周辺に存在し、同一領域内のマクロセルからのＰＲＳ送信があまり重要ではない場合）、ステップ係数ｋは大きい値に設定されてもよい。
【００５９】
その場合、シフトΔPRSの実現可能な値のセットは｛０、１、．．．、２ｋ−１｝であり、それにより、セルは以下の式により定義される測位機会にＰＲＳを送信する。
【００６０】
ｒ・２ｋ＋ΔPRS              （１）
ただし、ｒは非負の整数である。例えば図４Ｂにおいて、シフト（又は送信測位機会インジケータ）ΔPRSは、一方のセルに対して０であり、他方のセルに対して１である。図４Ｃにおいて、上の４つのセルの各々に対してΔPRS＝０、１、２、３である。測位サブフレームの発生が既知である場合、組合せ（ｋ，ΔPRS）で十分である。
【００６１】
測位サブフレームの発生は、周期Ｎ及び送信サブフレーム指標Δの組み合わせにより更に表されてもよい。その場合、ＰＲＳが送信されるサブフレームのインジケータは以下のように計算可能である。
【００６２】
Ｎ・（ｒ・２ｋ＋ΔPRS）＋Δ              （２）
限定しない一実施形態において、セルの測位パラメータは、送信サブフレームインジケータとして送信サブフレーム指標Δを含む。周期Ｎを特定するために必要なデータを減少するために、周期係数ｎが測位機会周期インジケータとして提供されてもよい。その場合、ＰＲＳが送信されるサブフレームの指標は以下のように計算可能である。
【００６３】
ａ・２ｎ・（ｒ・２ｋ＋ΔPRS）＋Δ                    （３）
式（３）において、ａは測位機会周期の測定単位であり、例えばフレーム内のサブフレームの数である。例えば周期がＬＴＥにおける無線フレームで測定される場合、ａ＝１０である。その場合、ａ・２ｎは、ａ＝１０かつｎ＝４、５、６及び７である場合にそれぞれ１６０ｍｓ、３２０ｍｓ、６３０ｍｓ及び１２８０ｍｓである現在合意されている測位間隔をモデル化する。Ｎを特定するために必要とされるデータ量を更に減少するために周期指標ｘが提供されてもよく、その場合、ｎ＝４＋ｘでありｘ＝０、１、２、３である。
【００６４】
なお、いくつかの例において、図４Ｄに示すように、測位機会は連続する測位サブフレームの一部（例えば、半分）として見られてもよい。この例において、各測位機会はＮPS個の連続する測位サブフレームから構成されると判定される。ＮPS個のサブフレームはＮPRS個の連続するサブフレームの一部である。ＮPRSはＮPSで割り切れるのが好ましい。すなわち、ＮPRS＝ｂ・ＮPSであり、式中、ｂは正の整数である。例えば図４Ｄは、ｂ＝２である例を示す。一般に、測位機会が連続する測位サブフレームの一部である場合、ｂは２以上の整数である。
【００６５】
＜パターンの信号伝送及びマッピング＞
上述のように、２つの対（ｎ，Δ）及び（ｋ，ΔPRS）により測位機会及びＰＲＳ送信機会をそれぞれ完全に特定できる。この情報は、例えば測位ノードからＵＥに通信することにより、ＵＥに認識されるのが好ましい。そのような信号伝送により、ＵＥの複雑さは軽減され、測位性能は最適化される。なお、最小の測位機会間隔が既知である場合、（ｎ，Δ）の代わりに（ｘ，Δ）が信号伝送されてもよい。何らかの更なる最適化がシフトパラメータΔに対して更に可能であってもよい。例えば、ｎの範囲が既知である場合にビット数を最小化できるのと同様に、Δの範囲が既知である場合、信号伝送されるビット数を最小化できる。
【００６６】
完全に非同期なネットワークにおいて、低干渉の測位サブフレームは不要である場合があり、従って、測位機会が既知とされる必要のある場合がある。その場合、ＰＲＳ送信は測位機会の度に仮定されてもよい。これは、ｋ＝０かつΔPRS＝０であり、すなわち（ｋ，ΔPRS）を信号伝送する必要のない特別な例に対応する。その場合、支援情報は送信サブフレームインジケータ（例えば、Δ）及び測位機会周期インジケータ（例えば、ｎ）のみを含めばよい。
【００６７】
同期ネットワークにおいて、ＵＥにより測定される全てのセルに対して測位機会が衝突する場合、サービングセルの測位機会周期インジケータ及び送信サブフレームインジケータ（例えば、（ｎ，Δ）又は（ｘ，Δ））、並びにステップ係数ｋがセル毎に異なる場合はサービングセルを含む全てのセルのスキップインジケータ及び送信測位機会インジケータ（例えば、（ｋ，ΔPRS））を通信すれば十分である場合がある。ｋが全てのセルに対して同一である場合、基準として指定されたセルのうちの１つに対するｋのみを信号伝送してもよく、その場合、測定対象の各セルのΔPRSのみが信号伝送されてもよい。ＵＥのサービングセルが基準セルであるのが好ましい。
【００６８】
更に、ＰＣＩとΔPRSとの間に１対１マッピングが存在する場合、ΔPRSを信号伝送する必要がない。そのようなマッピングの一例を以下に示す。
【００６９】
【数１】
0005600353.tif 000002
【００７０】
式（４）で表されるマッピングは、シフトΔPRSが一般にセルの物理セル識別、ネットワークのＰＲＳ信号の周波数再利用係数及びステップ係数ｋに基づいて判定可能であることを示す。
【００７１】
分散アンテナシステムを有するネットワークにおいて、マッピングはセルのＰＣＩとアンテナの位置を一意に識別するアンテナ指標との組み合わせに更に基づいてもよい。同一の関連するＰＣＩを用いる場合、異なるアンテナ指標を有する分散アンテナは異なる測位機会においてＰＲＳを送信できる。すなわち、それらは異なるΔPRSを有することができる。測位機会が時間的に大きく離間しているため、ＵＥ（又は測位ユニット）はＰＣＩ及びΔPRSの知識に基づいて送信アンテナの位置を認識する。
【００７２】
同様に、指標付けは、例えばビーコン装置に対して再利用されてもよい（すなわち、ＰＣＩ及びデバイスＩＤは同一領域内で重複してもよい）が、ｅＮｏｄｅＢからのＰＲＳ送信が存在しない場合、ＰＲＳ送信は装置の測位機会に割り当てられてもよい。
【００７３】
同様の手法がタイプIIの中継器に適用されてもよい。例えば中継器は、ｅＮｏｄｅＢから受信したＰＲＳをｅＮｏｄｅＢにより利用されない測位機会において再送信してもよい。しかし、同一のＰＣＩに対する再送信は同一領域において２回以上行われてはならない。関連するＰＣＩを有するセルに対する再送信が最大で２ｋ−１個の中継器に限定される場合、これはＰＣＩに対してｒＰＣＩ＝｛１、．．．、２ｋ−１｝として指標を付けられてもよく、ｒＰＣＩとΔPRSとの間の１対１マッピングは以下のように設計されてもよい。
【００７４】
【数２】
0005600353.tif 000003
【００７５】
一般に、少なくとも２つのパラメータの組合せである（ｋ，ΔPRS）及び（ｎ，Δ）又は（ｘ，Δ）が信号伝送されることが提案される。また、いくつかの特定の例において、４つのパラメータのうちのいくつかの信号伝送を回避できる。
【００７６】
＜セルによるＰＲＳ送信及びミュートパターンを割り当てるためのセルグループの設計＞
ＰＣＩとシフトΔPRSとの間の１対１マッピングを実現することにより、信号伝送の負荷を軽減できる。しかし、同時に、１対１マッピングでは干渉及び干渉のセットを制御できない。しかし、利用可能な信号伝送を使用することにより、そのような制御は可能になり、例えば測位ノードにおいて実行されてもよい。セルのグループ化は、ＵＥがグループ毎に順次測定を実行する場合に更に採用されてもよく、これにより、ＵＥの複雑さを適度な低レベルに維持できる。「グループ毎の順次」測定を以下に説明する。ＵＥは、複数のセルを並行に測定する（グループ１）。グループ１の後、ＵＥはグループ２のセルを並行に測定し、以降、同様に測定を行う。このように、セルグループが測定され、各グループ内のセルは並行に測定される。
【００７７】
最適なセルのグループ化は、総干渉が最小になるように（目的関数）、セルに時間スロット、すなわち測位機会を割り当てることがタスクである最適化問題として見ることができる。更に、ＰＣＩとＰＲＳパターンとの間の１対１マッピングを使用する場合、セルは干渉が生じない６つの独立したセットにグループ化可能である。従って、セルのグループ化の問題は、６つの独立した部分問題に分解可能である。各部分問題は、最小干渉チャネル割当問題の変形として公式化可能である。
【００７８】
ｃijを、セルｉとセルｊとの間のリンクにおける干渉コストパラメータであるとする。一実施形態において、これは次式で表される。
【００７９】
【数３】
0005600353.tif 000004
【００８０】
ただし、Ｐi及びＰjは、セルｉ及びセルｊにおけるＰＲＳリソース要素毎の均等目盛での送信パワレベルをそれぞれ表し、ｇij（２つのセルの間の対称リンク、すなわち、ｇij＝ｇjiと仮定する）。式（６）において、ｇijはセルｉとセルｊとの間の分離に関する推定された係数として見られてもよい（例えば、２つのセルに対する領域関連パス利得にわたり最大のものであり、これは領域の重要度係数を用いて更に変倍可能である）。ｇijが小さい程分離が適切であるため、同一グループ内にこれら２つのセルを含むための「コスト」が低くなることを示す。それに対して、ｇijが大きい程分離が不適切であるため、これら２つのセルにおいて基準信号を同時に送信するための「コスト」が高くなることを示す。
【００８１】
別の実施形態において、干渉コストパラメータは、２つのセルの間の対応するリンクに対して推定される信号対干渉又は信号対干渉雑音としてモデル化可能である。その場合、各部分問題に対して、ｉ≦ｊ、ｄ＝｛０、．．．、２ｋ−１｝とする以下に示す２値変数Ｘijdのセットを定義できる。
【００８２】
【数４】
0005600353.tif 000005
【００８３】
ただし、ｉ＝ｊは特別な例であるため、ＰＲＳがセルにおいて測位機会ｄで送信される場合のＸiidは１である。その場合、整数計画の公式化を以下に示す。
【００８４】
【数５】
0005600353.tif 000006
【００８５】
しかし、これは一般にＮＰ困難であることが知られており、それを解くための多項式時間アルゴリズムは存在しない。しかし、実際に問題に対処できる多項式時間近似アルゴリズムが提案される。
【００８６】
近似の手法は、セルが２ｋ個の測位機会においてＰＲＳを１回送信するという仮定に基づく。この仮定により、発見的サーチアルゴリズム又は局所サーチアルゴリズムを使用して２ｋ−１個の重み付けされた最大カット問題を解くことにより最適化問題（７）に対する解を見つけることができる。重み付けされた最大カット問題において、目標は、図５に示すように、干渉コストを表すエッジの重みの総和が最大になり、それにより、同一測位機会中にＰＲＳを送信する（すなわち、同一グループに属する）干渉セルにより誘導される干渉コストの総和が最小になるグラフエッジ、すなわち２つのセルの間のリンクのセットを見つけることである。最大カット問題に対する解における選択されたエッジのセット（すなわち、値１を有するｘ変数に対応するエッジ）は異なるグループに属する頂点（セル）を接続する。
【００８７】
図に示すように、最大カット問題に対する解は、ノード（セル）を２つのグループに分割するグラフ分割である。ｋ＝１の場合、すなわち、ＰＲＳが１つおきの測位サブフレームにおいて送信される場合、１つの重み付けされた最大カット問題のみが解かれ、２つのセルグループが識別される。各グループ内のセルは同一の測位機会においてＰＲＳを送信する。例えば、グループ１のセルは偶数番目の測位機会に送信でき、グループ２のセルは奇数番目の測位機会に送信できる。
【００８８】
セルグループ化問題に対する近似解の手法は、以下のように要約可能である。
【００８９】
（I）６つのセルのセットを定義する。ｓ＝｛０、．．．、５｝とする各ＰＲＳパターンＩＤ：Ω（ｓ）に対応するセットは、ＰＲＳパターン指標ｓを有するセルのセットである。
【００９０】
（II）各Ω（ｓ）に対して
ａ．干渉コストパラメータｃijのセットを定義する（ｃij∈Ω（ｓ））。
【００９１】
ｂ．各ｑ＝１、．．．、ｋに対して、ｑ＞１の場合はｑ−１に対して取得されかつｑ＝１の場合はΩ（ｓ）に対して取得されるセルグループに対する２q-1個の重み付けされた最大カット問題を解く。全部で２ｋ−１個の問題が解かれ、２ｋ個のセルグループが取得される。
【００９２】
ｃ．異なるグループのセルにおけるＰＲＳ送信が時間的に重複しないように、各セルグループにＰＲＳ送信用の測位機会を割り当てる。
【００９３】
セルのミュートパターンを判定するためにネットワークノードにより実現される方法の説明において、上述のセルのグループ化を以下に更に説明する。
【００９４】
図６は、測位設定に対する無線ネットワーク６００の構成の一例を示す。説明を簡潔にするために、最小限の数のノードを示す。しかし、本発明の種々の態様は更に多くのノードを有するネットワークにおいて適用可能である。図６において、ネットワーク６００は例えばＬＴＥにおけるｅＮｏｄｅＢである３つの基地局６１０を含む。各基地局６１０は、少なくとも１つの対応するセルに関連する。当然、どの１つの基地局も２つ以上のセルに関連してもよい。しかし、簡潔にするために、各基地局６１０は対応するセル６１０に関連すると仮定する。このような状況において、基地局及びセルは同義に使用される。
【００９５】
図６は、対応する基地局によりサービスを提供される３つのセル６１０−１、６１０−２及び６１０−３を示すものとして説明される。図中、セル６１０は互いに隣接すると仮定される。セルに対応する一部又は全ての基地局は当該セルに特有のミュートパターンに従ってＰＲＳ信号を送信してもよく、ミュートパターンはＵＥ６２０により「聞かれる」。図中、双方向通信を表す実線により示されるように、中央のセル６１０−２がＵＥ６２０に対するサービングセルであると示される。
【００９６】
ネットワーク６００は、ＬＴＥにおけるＥ−ＳＭＬＣ又はＳＬＰ等の測位ノード６３０を更に含んでもよい。測位ノード６３０が担ってもよい役割を以下に更に詳細に説明する。
【００９７】
更に、セルは、図６において基地局６１０−３に接続されると示される中継装置６４０に更に関連してもよい。この設定において、中継装置６４０は、基地局６１０−３からの信号を中継して基地局６１０−３のサービス範囲を拡張する。中継装置６４０は、それ自体のＰＲＳ信号を送信できる。
【００９８】
ネットワーク６００は、ＰＲＳ信号を送信できるビーコン装置６５０を更に含んでもよい。ビーコン装置６５０が「有効範囲領域」にわたりそれ自体のＰＲＳ信号を送信する限り、用語「セル」はビーコン装置に対応する有効範囲領域、すなわちセルが存在することを示すために更に使用される。なお、ビーコン装置に対応するセルは、基地局６１０及び／又は中継装置６４０の１つ又は複数のセルと重複してもよい。換言すると、ビーコン装置６５０は同一領域内に存在してもよい。
【００９９】
ＵＥの位置を判定できるようにするために、基地局６１０、並びに中継装置６４０及びビーコン装置６５０は、ＵＥ６２０により聞かれかつ測定されるＰＲＳ送信を実行してもよい。ＰＲＳ送信は、ＵＥ６２０に向う破線矢印として表される。図６において、ＰＲＳ信号が基地局６１０、中継装置６４０及びビーコン装置６５０の全てにより送信されてもよいことが示される。
【０１００】
セル（６１０−１、６１０−２、６１０−３、６４０、６５０）のミュートパターンが全て異なる場合、ＰＲＳ送信の干渉は解消される。１つの態様において、セルのミュートパターンはローカルに判定されてもよい。すなわち、基地局６１０は基地局６１０に対応するセルのうちの少なくとも１つに対するミュートパターンを判定してもよい。また、中継装置６４０及び／又はビーコン装置６５０はそれ自体の対応するミュートパターンを判定してもよい。その後、ローカルに判定されたミュートパターンはネットワーク内の別のノードに通信されてもよい。例えば基地局６１０、中継装置６４０及び／又はビーコン装置６５０は、例えばＬＰＰプロトコルを介して測位ノード６３０にミュートパターンを通信できる。測位ノード６３０は、ネットワーク内の一部又は全てのセルのミュートパターン情報を集約的に保持してもよい。以下に更に詳細に示すように、支援情報は、通信の無線リンク部分がサービングセル６１０−２を介して提供される状態で、例えばＬＰＰプロトコルを介して測位ノード６３０からＵＥ６２０に提供されてもよい。
【０１０１】
基地局は、対応するセルのミュートパターンを別の基地局に通信できる。当然、これは、少なくとも１つの基地局が対応しないセルのミュートパターンを受信できることを意味する。しかし、ミュートパターン自体はセル特有である。また、測位ノード６３０が複数のセルのミュートパターンを保持してもよいのと同様に、基地局６１０が複数のセルのミュートパターンを同様に保持してもよい。中継装置６４０は、対応するセルのミュートパターンを接続された基地局に通信してもよい。
【０１０２】
別の態様において、セルのミュートパターンは集約的に判定された後に分散されてもよい。例えば測位ノード６３０は、一部又は全てのセル６１０、６４０及び／又は６５０のミュートパターンを判定してもよい。必要に応じて、測位ノード６３０はサービングセル６１０−２を介してＵＥ６２０に支援情報を提供してもよい。当然、基地局は対応するセルに加えて他のセルのミュートパターンも判定できる。
【０１０３】
当然、ミュートパターンの分散判定及びローカル判定の双方が考えられる。例えば基地局、中継装置、ビーコン装置である一部又は全てのネットワークノードは、それ自体のセルのミュートパターンを判定して他の基地局又は測位ノード等の他のネットワークノードに情報を通信してもよい。また、例えば基地局又は測位ノードである一部又は全てのネットワークノードは、他のセルのミュートパターンを判定して他のネットワークノードに情報を通信してもよい。一部又は全てのネットワークノードはＵＥに支援情報を提供してもよい。
【０１０４】
図７は、ネットワークノード７００の構成の一例を示す。ネットワークノードは、中継装置、ビーコン装置又はＬＴＥにおけるｅＮｏｄｅＢ等の基地局であってもよい。また、ネットワークノードは、ＬＴＥにおけるＥ−ＳＭＬＣ又はＳＬＰ等の測位ノードであってもよい。図に示すように、ネットワークノード７００はミュートパターン判定ユニット７１０、通信ユニット７２０及び記憶ユニット７３０を含んでもよい。
【０１０５】
なお、図７はネットワークノード７００及びそれに含まれるユニットの論理ビューを提供する。すなわち、厳密には、各ユニットが物理的に別個のモジュールとして実現される必要はない。一部又は全てのユニットは物理モジュールに組み合わされてもよい。例えば、ミュートパターン判定ユニット７１０及び記憶ユニット７３０は単一のモジュールに組み合わされてもよい。更に、厳密には、ユニットはハードウェアで実現される必要はない。ユニットがハードウェア及びソフトウェアの組み合わせにより実現可能であることが考えられる。例えばネットワークノード７００は、図７に示すユニットの機能を実行するための非一時的な記憶媒体又はファームウェアに格納されたプログラム命令を実行する１つ以上の中央処理装置を含んでもよい。無線ネットワークの測位設定を定義する方法の一例を示す図８と関連して、ネットワークノードのユニットにより実行される役割を説明する。
【０１０６】
方法８００において、一部又は全てのセルが測位機会中にＰＲＳ信号を無線送信できると仮定する。ＰＲＳ信号は、移動端末とも呼ばれるＵＥの位置を判定するために使用可能である。各測位機会は、Ｎ＞ＮPRSとして、ＮPRS個の測位サブフレームがＮサブフレーム毎に繰り返すように、Ｎサブフレームの所定の周期を有する所定の数ＮPRS個の連続するサブフレームから構成される。図３を参照。Ｎ及びＮPRSの双方は１以上の整数である。
【０１０７】
ステップ８１０において、自身のミュートパターン判定ユニット７１０を使用する第１のネットワークノードは、無線ネットワークの１つ以上のセルのミュートパターンを判定してもよい。ステップ８２０において、自身の通信ユニット７２０を使用する第２のネットワークノードは、サービングセルによりサービスを提供されているＵＥ６２０に支援情報を提供してもよい。支援情報は、第１のネットワークノードにより判定された少なくとも１つのセルのミュートパターンを主に含む。
【０１０８】
セルのミュートパターンは、セルがＰＲＳを送信する複数の測位機会及びセルがＰＲＳの送信をミュートする複数の測位機会を示す。少なくとも１つのセルに対して、ミュートされる測位機会の数は０より大きい。すなわち、少なくともいくつかの測位機会においてＰＲＳ送信をミュートする少なくとも１つのセルが存在する。一方、送信測位機会の数は０以上であってもよい。そのような測位機会の数が０である場合、セルは常にミュートされる。例えば基地局が密に配置される場合、基地局のサブセットは十分である場合がある。しかし、殆どの場合、セルの送信測位機会の数は０より大きい。すなわち、いくつかの測位機会中にＰＲＳ送信を実行しかつ他の測位機会にＰＲＳ送信をミュートする少なくとも１つのセルが存在してもよい。
【０１０９】
第２のネットワークノードが提供する支援情報は、第１のネットワークノードにより判定された少なくとも１つのセルのミュートパターンに関する。第１のネットワークノードは基地局６１０又は測位ノード６３０であってもよい。第２のネットワークノードは同様に基地局６１０又は測位ノード６３０であってもよい。
【０１１０】
なお、第１のノード及び第２のノードは同一のノードであってもよい。例えば、セルに対応する基地局がセルのミュートパターンを判定してＵＥ６２０に支援情報を提供してもよい。別の例として、測位ノード６３０がセル６１０のミュートパターンを判定してＵＥにセルのミュートパターン情報を提供してもよい。更なる例として、基地局が別のセル（例えば、別の基地局又は中継装置に対応する）のミュートパターンを判定してＵＥ６２０に支援情報を提供してもよい。
【０１１１】
当然、第１のネットワークノード及び第２のネットワークノードは異なるノードであってもよい。それらが異なるノードである場合、ステップ８３０において、第１のネットワークノードは、判定した１つ又は複数のミュートパターンを第２のネットワークノードに通信する。第１のネットワークノードはビーコン装置６５０、中継装置６４０又は基地局６１０であってもよく、第２のネットワークノードは測位ノード６３０又は別の基地局６１０であってもよい。測位ノード６３０等の第２のネットワークノードは、セルのミュートパターンを格納し、必要に応じてＵＥ６２０に支援情報を提供する。一方、第１のネットワークノードは測位ノード６３０であってもよく、第２のネットワークノードは基地局６１０、中継装置６４０又はビーコン装置６５０であってもよい。第２のネットワークノードは、測位ノード６３０により提供されたミュートパターンに従ってＰＲＳ送信を実行してもよい。
【０１１２】
ステップ８１０においてミュートパターン判定ユニット７１０がセルのミュートパターンを判定する場合、セルの１つ以上の測位パラメータが判定される。測位パラメータのリストはスキップインジケータ及び送信測位機会インジケータを含むが、これらに限定されない。上述のように、例えばステップ係数ｋであるスキップインジケータは、セルの送信測位機会が定期的に繰り返すように各送信測位機会に後続する連続してミュートされる測位機会の数を示す。
【０１１３】
例えばシフトΔPRSである送信測位機会インジケータは、セルの送信測位機会である測位機会を示す。前述のように、限定しない１つの態様において、シフトΔPRSはセルのＰＣＩ、ＰＲＳ周波数再利用係数及びステップ係数ｋに基づいて判定可能である。また、前述のように、セルが複数のアンテナを有する場合、シフトΔPRSはアンテナ指標に基づいて更に判定可能である。セルが基地局６１０との間で信号を中継する中継装置６４０に関連する場合、セルのシフトΔPRSは、中継装置６４０の送信測位機会が基地局６１０の送信測位機会と重複しないように設定される。
【０１１４】
セルの測位パラメータは、ＰＲＳを送信するためにセルにより使用される送信測位機会内のサブフレームを示す例えば送信サブフレーム指標Δである送信サブフレームインジケータを更に含んでもよく、所定の周期Ｎを示す例えば周期係数ｎ又は周期指標ｘである測位機会周期インジケータを含んでもよい。
【０１１５】
通信ユニット７２０がミュートパターンを判定された１つ以上のセルの支援情報をＵＥ６２０に提供する場合、支援情報は、各セルに対して、スキップインジケータ、送信測位機会インジケータ、送信サブフレームインジケータ及び測位機会周期インジケータのうちのいずれか１つ以上を含んでもよい。ＵＥ６２０に提供される支援情報は、サービングセル及びそれに隣接する１つ以上のセルのミュートパターンを含むのが好ましい。
【０１１６】
なお、ネットワークが非同期ネットワークである場合、支援情報は、セルの送信サブフレームインジケータ及び測位機会周期インジケータを特に含む。
【０１１７】
ネットワークが同期ネットワークでありかつＵＥ６２０により測定される全てのセルに対して送信測位機会が一致する場合、ＵＥに提供される支援情報の量を最小化できる。この状況において、送信サブフレームインジケータ及び測位機会周期インジケータは、サービングセル等の基準セルに対してのみ提供されればよい。しかし、測定対象の全てのセルのスキップインジケータ及び送信測位機会インジケータは提供される必要がある。
【０１１８】
前述のように、方法８００のステップ８１０等でネットワーク内のセルのミュートパターンを判定する場合、セルは総干渉が最小になるようにグループ化されてもよい。図９は、ステップ８１０を実現するための限定しない処理のフローチャートを示す。ステップの一部又は全ては、例えば基地局６１０又は測位ノード６３０であるネットワークノードのミュートパターン判定ユニット７１０により実行されてもよい。
【０１１９】
ステップ９１０において、ネットワークのセルは複数のセルのセットにグループ化される。これは、上述の近似解の手法の部分（I）の一般化として見ることができる。ステップ９１０において、各セルのセットは、ｓをＰＲＳパターンＩＤとする同一のＰＲＳパターンΩ（ｓ）を有する１つ以上のセルを含む。
【０１２０】
セルのセット毎に、ステップ９２０及び９３０が実行される。ステップ９２０において、セットセット内のセルは複数のセルグループに更に細分化される。図１０は、ステップ９２０を実現するための限定しない処理のフローチャートを示す。ステップ１０１０において、セルのセットセット内のセルｉ及びｊの複数のペアに対して、干渉コストパラメータｃij（ｃij∈Ω（ｓ））のセットが判定される。セルｉとセルｊとの間の干渉コストパラメータｃijの判定は、セルのＰＲＳ送信パワレベル、２つのセルの間のリンクの信号対干渉比及び２つのセルの間のリンクの信号対干渉雑音比の何らかの組合せに基づいてもよい。コストパラメータはセルｉ又はセルｊのいずれかに対応する基地局６１０により判定されてもよく、コストパラメータは他の基地局と交換されてもよい。
【０１２１】
ステップ１０２０において、エッジの重みの総和が最大になるグラフエッジのセットが判定される。各グラフエッジはセットセット内の２つのセルの間の分離を示し、エッジの重みは干渉コストパラメータに基づく干渉コストを表す。その後、ステップ１０３０において、エッジの重みの最大総和に寄与するエッジのセルを異なるセルグループに分離するようにセットセット内のセルをセルグループに分割する。ステップ１０１０、１０２０及び１０３０は、近似解の手法の部分（II．ａ）及び（II．ｂ）の一般化として見られてもよい。
【０１２２】
ステップ９３０において、異なるグループ内のセルの送信測位機会が時間的に重複しないように各セルグループに送信測位機会を割り当てる。部分（II．ｃ）を更に参照。
【０１２３】
支援情報がＵＥ６２０に提供されると、ＵＥは自身の位置が判定されるように測定値を作成してもよい。図１１は、ＵＥ６２０の構成の一例を示す。図に示すように、ＵＥ６２０は、観測到着時間差（ＯＴＤＯＡ）判定ユニット１１１０、通信ユニット１１２０及び記憶ユニット１１３０を含んでもよい。ＵＥ６２０は位置判定ユニット１１４０を更に含んでもよい。図７と同様に、図１１もＵＥ６２０の論理ビューを提供し、従って、一部又は全てのユニットは別個であってもよく、あるいは物理的に組み合わされてもよい。また、一部又は全てのユニットは、ハードウェア及びソフトウェアの組み合わせにより実現されてもよい。ＵＥ６２０は、ユニットの機能を実行するための非一時的な記憶媒体又はファームウェアに格納されたプログラム命令を実行する１つ以上の中央処理装置を含んでもよい。
【０１２４】
ＵＥ６２０の位置を判定する方法の一例である方法１２００を示す図１２と関連して、ＵＥのユニットにより実行される役割を説明する。方法１２００において、ＵＥ６２０は、例えば測位ノード６３０であるネットワークから支援情報を受信したと仮定する。前述の通り、支援情報はセルのミュートパターンを含む。また、前述の通り、少なくとも１つのセルのミュートパターンにおいて、ミュートされる測位機会の数は０より大きい。更に、セルの送信測位機会の数は０以上であってもよい。
【０１２５】
ステップ１２１０において、通信ユニット１１２０は、複数のセルに対応する複数のネットワークノードからＰＲＳを受信する。各ネットワークノードは、基地局６１０、中継装置６４０又はビーコン装置６５０に関連するセルのいずれに対応してもよい。前述の通り、ＵＥの２つの座標及び受信機のクロックバイアスを求めるには、幾何学的配置が十分良好である地理的に分散されたノードからの少なくとも３つの測定値が必要とされる。３つの座標（例えば、高度）を求める必要がある場合、少なくとも４つの測定値が必要である。２つのノードが十分に分散していない場合、２つのノードのうちの第２のノードからのＰＲＳ送信は更なる情報を追加しない場合がある。ステップ１２１０において、十分な測定が行われたと仮定する。
【０１２６】
ステップ１２２０において、ＯＴＤＯＡ判定ユニット１１１０は、対応するセルのミュートパターンに基づいて、ネットワークノードからのＰＲＳ送信のＯＴＤＯＡを判定する。なお、対応するノードがＰＲＳを送信する機会を判定するための十分な情報をセルのミュートパターンが含むため、ＯＴＤＯＡ判定ユニット１１１０は各ＰＲＳ信号がネットワークノードからＵＥ６２０に到着するために所用する時間量を判定できる。このことから、測定されたＰＲＳ送信のＯＴＤＯＡを判定できる。ステップ１２３０において、位置判定ユニット１１４０はＯＴＤＯＡ情報に基づいてＵＥ６２０の位置を判定できる。
【０１２７】
なお、ＵＥ６２０が位置判定ユニット１１４０を含まない場合、ステップ１２４０において、通信ユニット１１２０は、ネットワークがＵＥの位置を判定できるように、基地局６１０又は測位ノード６３０等のネットワークにＯＴＤＯＡ情報を提供してもよい。当然、ＵＥ６２０が位置判定ユニット１１４０を含む場合であっても、通信ユニット１１２０は依然としてステップ１２４０においてネットワークに測定情報を提供してもよい。
【０１２８】
開示された技術は多くの利点を提供する。利点のリストを以下に示すが、利点は以下に限定されない。
【０１２９】
・ＰＲＳに対する干渉調整を可能にする測位サブフレーム及びＰＲＳ送信を構成するための融通性のある方法が提供される。
【０１３０】
・例えば周波数間測定に対して、あるいは、タイプIIの中継器又はビーコン装置等の２次装置に対して、ＰＣＩを再利用する可能性が提供されるその一方で、ｅＮｏｄｅＢのＰＲＳにより使用されずかつそれに使用される測位サブフレームから時間的に十分に離間した測位サブフレームにおいてそれら２次装置にＰＲＳを送信させる。周波数間測定の場合、提案された方法のセル別設定を使用することにより、周波数の信号伝送を回避できる。
【０１３１】
・負荷の少ない、すなわち必要なビット数の少ない向上された支援情報の形式が提供される。
【０１３２】
・異なるセルからのＰＲＳ送信の間の干渉を最小限にするセルグループを構成するための手法が提供される。また、この手法は、グループ毎の順次測定を使用することによりＵＥの演算量を低いレベルに維持できる。
【０１３３】
・測位基準信号は、測位基準信号が測位機会にわたり一定のパワで低干渉サブフレームにおいて送信されかつこれらのサブフレームがＵＥに認識される（常時送信されるが、負荷が変動する場合のあるデータ送信により干渉されるセル別基準信号ＣＲＳの測定とは異なる）ということを利用して、測位以外の例えば幾何学的配置の推定又はチャネル推定の用途に使用可能である。
【０１３４】
・提案された解決策は、基準信号全般に適用可能である。
【０１３５】
上記の説明は多くの具体例を含むが、それらは、本発明の範囲を限定するものであると解釈されるべきではなく、現時点で好適な実施形態のいくつかの例示を提供するにすぎないと解釈されるべきである。従って、本発明の範囲は当業者には明らかになるだろう他の実施形態を完全に含むこと、並びにそのため範囲は限定されないことが理解されるだろう。当業者には既知である上述の好適な実施形態の要素に対する全ての構造的、機能的な均等物は、本発明に明確に組み込まれ、本発明に含まれることを意図する。更に、装置又は方法は、本発明に含まれるために本明細書中に記載されるか又は現在の技術により解決することを求められる全ての問題を解決する必要はない。
【図１Ａ】
0005600353.tif 000007
【図１Ｂ】
0005600353.tif 000008
【図２】
0005600353.tif 000009
【図３】
0005600353.tif 000010
【図４Ａ】
0005600353.tif 000011
【図４Ｂ】
0005600353.tif 000012
【図４Ｃ】
0005600353.tif 000013
【図４Ｄ】
0005600353.tif 000014
【図５】
0005600353.tif 000015
【図６】
0005600353.tif 000016
【図７】
0005600353.tif 000017
【図８】
0005600353.tif 000018
【図９】
0005600353.tif 000019
【図１０】
0005600353.tif 000020
【図１１】
0005600353.tif 000021
【図１２】
0005600353.tif 000022